(57)【要約】【課題】スロットイン方式の光ディスクドライブ装置のトップカバーを取り外すことなく半導体レーザのパワー調整を実行できるパワー調整方法を提供することを目的とする。【解決手段】光ディスクと近似した先端形状で、センター孔１３ａが形成され、検査対象の光ピックアップの位置に対応する位置にセンサ基板１４が取り付けられたプローブ１３を、ディスク挿入口３から挿入されたことを検出して、スロットイン機構の運転駆動を禁止した状態に切り替えるとともに、プローブ１３のセンター孔１３ａを検査対象の回転テーブルにセットし、センサ基板１４で光ピックアップからの出射光を検出し、検出したパワーが目標値に近づくように検査対象の光ディスクドライブ装置を調整する。【選択図】図１
2007334941.tif 000002
【特許請求の範囲】
【請求項１】
ディスク挿入口に光ディスクが挿入されたことを検出して前記光ディスクをローディング完了位置に搬入するスロットイン機構を備えた光ディスクドライブ装置の光パワーを調整するに際し、
前記光ディスクと近似した先端形状で、前記光ディスクのチャッキングホールに対応してセンター孔が形成され、検査対象の光ディスクドライブ装置の光ピックアップ位置に対応する位置にセンサ基板が取り付けられたプローブを、検査対象の光ディスクドライブ装置のディスク挿入口から挿入されたことを検出して、前記スロットイン機構の運転駆動を禁止した状態に切り替えるとともに、挿入された前記プローブのセンター孔を検査対象の光ディスクドライブ装置の回転テーブルにセットし、
検査対象の光ディスクドライブ装置の光ピックアップからの出射光を、前記センサ基板で検出し、検出したパワーが目標値に近づくように検査対象の光ディスクドライブ装置を調整する
光ディスクドライブ装置のパワー調整方法。
【請求項２】
光ディスクと近似した先端形状で、前記光ディスクのチャッキングホールに対応してセンター孔が形成され、検査対象の光ディスクドライブ装置の光ピックアップ位置に対応する位置にセンサ基板を取り付けた
プローブ。
【請求項３】
ディスク挿入口に光ディスクが挿入されたことを検出して前記光ディスクをローディング完了位置に搬入するスロットイン機構を備えた光ディスクドライブ装置の光パワーを調整するに際し、
前記光ディスクと近似した先端形状で、前記光ディスクのチャッキングホールに対応してセンター孔が形成され、検査対象の光ディスクドライブ装置の光ピックアップ位置に対応する位置にセンサ基板が取り付けられたプローブを、挿入された前記プローブのセンター孔を検査対象の光ディスクドライブ装置の回転テーブルにセットし、
検査対象の光ディスクドライブ装置の光ピックアップからの出射光を、前記センサ基板で検出し、検出したパワーが目標値に近づくように検査対象の光ディスクドライブ装置を調整する
光ディスクドライブ装置のパワー調整方法。
【請求項４】
光ディスクと近似した先端形状で、前記光ディスクのチャッキングホールに対応してセンター孔が形成され、前記取り込みレバーを受け入れる凹部が形成され、検査対象の光ディスクドライブ装置の光ピックアップ位置に対応する位置にセンサ基板を取り付けた
プローブ。
【発明の詳細な説明】
【技術分野】
【０００１】
本発明は、各種の情報機器やオーディオ装置，ビデオ装置などにおいて、入出力装置として接続される光ディスクドライブ装置に関するものである。
【背景技術】
【０００２】
図８は、従来のスロットイン方式の光ディスクドライブ装置の使用状態でのローディング工程を示している。図９は完成品の外観を示している。図８では内部の各部品を見せるためにトップカバー１を取り除いて図示されている。
【０００３】
ローディング工程は、先ず図８（ａ）に示すように、光ディスク２の端をディスク挿入口３に挿入して、レバー４の先端に光ディスク２が当接してレバー４が押し込まれて基端の軸５を中心に回動すると、モータ６を動力源として取り込みレバー７が図８（ｂ）に回動して、取り込みレバー７の先端７ａが光ディスク２の後端に係合して、光ディスク２をガイドレバー８に向かって押し込む。この取り込みレバー７による押し込み動作は、光ディスク２のチャッキングホール２ａの中心が回転テーブル９の中心に一致する位置まで行われて、図８（ｃ）の位置に達した光ディスク２がクランパー（図示せず）と回転テーブル９とで挟持されてローティングが完了する。
【０００４】
このように構成された光ディスクドライブ装置の光ピックアップ１０の光軸調整に際しては、光ピックアップ１０の光源である半導体レーザ（図示せず）のパワー調整が実施されている。
【０００５】
そのパワー調整工程は、図１０に示すようにトップカバー１を取り除いた状態でプローブ１１を光ピックアップ１０に対向させて、光ピックアップ１０から出射したレーザー光を、プローブ１１で測定して半導体レーザに流れる電流を設定している。
【特許文献１】特開２００５−８５３６７号公報
【発明の開示】
【発明が解決しようとする課題】
【０００６】
パワー調整工程に送り込まれる光ディスクドライブ装置は、トップカバー１を取り外して製造ラインを搬送されているため、異物（ほこり、ゴミ等）が光ディスクドライブ装置の内部に侵入し、ドライブ性能の低下の可能性がある。
【０００７】
また、トップカバー１を取り外した状態の調整は危険である。
本発明は、スロットイン方式の光ディスクドライブ装置のトップカバーを取り外すことなく半導体レーザのパワー調整を実行できる光ディスクドライブ装置のパワー調整方法を提供することを目的とする。
【課題を解決するための手段】
【０００８】
本発明の請求項１記載の光ディスクドライブ装置のパワー調整方法は、ディスク挿入口に光ディスクが挿入されたことを検出して前記光ディスクをローディング完了位置に搬入するスロットイン機構を備えた光ディスクドライブ装置の光パワーを調整するに際し、前記光ディスクと近似した先端形状で、前記光ディスクのチャッキングホールに対応してセンター孔が形成され、検査対象の光ディスクドライブ装置の光ピックアップ位置に対応する位置にセンサ基板が取り付けられたプローブを、検査対象の光ディスクドライブ装置のディスク挿入口から挿入されたことを検出して、前記スロットイン機構の運転駆動を禁止した状態に切り替えるとともに、挿入された前記プローブのセンター孔を検査対象の光ディスクドライブ装置の回転テーブルにセットし、検査対象の光ディスクドライブ装置の光ピックアップからの出射光を、前記センサ基板で検出し、検出したパワーが目標値に近づくように検査対象の光ディスクドライブ装置を調整することを特徴とする。
【０００９】
本発明の請求項２記載のプローブは、光ディスクと近似した先端形状で、前記光ディスクのチャッキングホールに対応してセンター孔が形成され、検査対象の光ディスクドライブ装置の光ピックアップ位置に対応する位置にセンサ基板を取り付けたことを特徴とする。
【００１０】
本発明の請求項３記載の光ディスクドライブ装置のパワー調整方法は、ディスク挿入口に光ディスクが挿入されたことを検出して前記光ディスクをローディング完了位置に搬入するスロットイン機構を備えた光ディスクドライブ装置の光パワーを調整するに際し、前記光ディスクと近似した先端形状で、前記光ディスクのチャッキングホールに対応してセンター孔が形成され、検査対象の光ディスクドライブ装置の光ピックアップ位置に対応する位置にセンサ基板が取り付けられたプローブを、挿入された前記プローブのセンター孔を検査対象の光ディスクドライブ装置の回転テーブルにセットし、検査対象の光ディスクドライブ装置の光ピックアップからの出射光を、前記センサ基板で検出し、検出したパワーが目標値に近づくように検査対象の光ディスクドライブ装置を調整することを特徴とする。
【００１１】
本発明の請求項４記載のプローブは、光ディスクと近似した先端形状で、前記光ディスクのチャッキングホールに対応してセンター孔が形成され、前記取り込みレバーを受け入れる凹部が形成され、検査対象の光ディスクドライブ装置の光ピックアップ位置に対応する位置にセンサ基板を取り付けたことを特徴とする。
【発明の効果】
【００１２】
この調整方法によると、ディスク挿入口からプローブを挿入することによってプローブに取り付けられたセンサ基板の検出部を、検査対象の光ディスクドライブ装置の光ピックアップの位置に正確に位置合わせすることができるため、トップカバーを取り外すことなく光パワーを検出して調整できる。
【発明を実施するための最良の形態】
【００１３】
以下、本発明の各実施の形態を図面に基づいて説明する。
（実施の形態１）
図１〜図４は本発明の（実施の形態１）を示す。
【００１４】
図１はスロットイン方式の光ディスクドライブ装置１２の光軸調整を行う際の装置全体の構成全体を示す。
１３はプローブで、光ディスク２と近似した先端形状で、光ディスク２のチャッキングホール２ａに対応してセンター孔１３ａが形成されている。さらに、検査対象の光ディスクドライブ装置１２の光ピックアップ１０の位置に対応する位置にセンサ基板１４が取り付けられている。さらに詳しくは、プローブ１３の先端１３ｂは一般的な光ディスクと同じ直径で、厚みも光ディスクと同じに形成されている。プローブ１３の先端１３ｂに続いて後端１３ｃにかけては、光ディスクの直径と同じ幅で延長されている。
【００１５】
このセンサ基板１４の出力は、増幅器１５で増幅され、さらにＡ／Ｄ変換器１６を介してデジタル変換されて調整用パソコン１７に取り込まれている。
光軸調整に際しての光ピックアップ１０の半導体レーザのパワー調整は、次の工程で実行される。
【００１６】
先ず、調整用パソコン１７から光ディスクドライブ装置１２への給電と通信を実施するために、ケーブル１８によって調整用パソコン１７と光ディスクドライブ装置１２を接続する。
【００１７】
次に、調整用パソコン１７に対して光パワー調整の開始を入力すると、光ディスクドライブ装置１２は図８に示した動作を実行する通常のローディングのルーチンではなくて、図４に示した光パワー調整ルーチンを実行するように切り替えられ、ステップＳ１では、スロットイン機構をオフする。
【００１８】
具体的には、図２（ａ）（ｂ）に示すように、プローブ１３の先端１３ｂがディスク挿入口３に挿入されて、レバー４の先端に光ディスク２が当接してレバー４が押し込まれて基端の軸５を中心に回動しても、従来のようにモータ６による取り込みレバー７の駆動を実行しない。
【００１９】
なお、図２では内部の各部品を見せるためにトップカバー１を取り除いて図示されているが、プローブ１３の先端形状が光ディスクと同じであるため、トップカバー１を取り外すことなく実行されている。
【００２０】
プローブ１３の先端１３ｂが、図２（ｃ）に示すようにプローブ１３のセンター孔１３ａの中心が回転テーブル９の中心に一致する終端位置まで手動によって挿入されたことを光ディスクドライブ装置１２がステップＳ２で検出すると、ステップＳ３でプローブ１３がクランパー（図示せず）と回転テーブル９とで挟持されてローティングが完了する。この状態では、図３に示すように光ピックアップ１０に対向してセンサ基板１４が位置している。
【００２１】
ステップＳ４では、調整用パソコン１７から光ピックアップ１０に対して半導体レーザへの通電開始が指示される。
調整用パソコン１７では、目標光パワー値とセンサ基板１４によって検出された測定光パワー値とを比較して、両者が一致している場合には、調整完了を光ディスクドライブ装置１２に送信する。これをステップＳ５で検出した光ディスクドライブ装置１２は、図４の調整ルーチンを終了するが、両者が一致していない場合には、調整用パソコン１７が光ディスクドライブ装置１２に、測定光パワー値を目標光パワー値に近づけるに必要な補正方向を指示する。
【００２２】
補正方向の指示を受信した光ディスクドライブ装置１２は、ステップＳ５でこれを検出して、ステップＳ６において指定された方向に規定量だけ光パワーを変更してステップＳ４，ステップＳ５，ステップＳ６のルーチンを、調整用パソコン１７が測定光パワー値が目標光パワー値に一致したと判定するまで繰り返し、最終的な調整値をステップＳ７で光ディスクドライブ装置１２に記憶させて調整が完了する。
【００２３】
このように、プローブ１３を使用することによって、トップカバー１を取り外すことなく光ディスクドライブ装置１２の光ピックアップの光パワーを調整でき、光パワーの調整に伴う異物（ほこり、ゴミ等）が光ディスクドライブ装置の内部に侵入することもなく、ドライブ性能の低下を回避できる。
【００２４】
さらに、プローブ１３をクランパー（図示せず）と回転テーブル９とで挟持され、センサ基板１４と光ピックアップ１０との相対位置が極めて正確な状態で光りパワーを調整するので、調整精度の向上を期待できる。
【００２５】
（実施の形態２）
図５と図６は本発明の（実施の形態２）を示す。
（実施の形態１）では光パワーの調整時には、モータ６による取り込みレバー７の駆動をステップＳ１において実行しないように禁止して、プローブ１３を光ディスクドライブ装置１２に受け入れるように構成したが、この（実施の形態２）ではプローブ１３の形状をさらに工夫することによってステップＳ１を不要にしている。
【００２６】
図５に示すように（実施の形態２）のプローブ１３には、取り込みレバー７を受け入れる凹部１９が形成されている。詳しくは、プローブ１３は、光ディスク２と近似した先端形状で、光ディスク２のチャッキングホール２ａに対応してセンター孔１３ａが形成されている。さらに、検査対象の光ディスクドライブ装置１２の光ピックアップ位置に対応する位置にセンサ基板１４が取り付けられている。プローブ１３の先端１３ｂは一般的な光ディスクと同じ直径で、厚みも光ディスクと同じに形成されている。プローブ１３の先端１３ｂに続いて後端１３ｃにかけては、光ディスクの直径と同じ幅で延長されており、取り込みレバー７を受け入れる凹部１９は、プローブ１３の先端１３ｂと後端１３ｃ境界部分に形成されている。ここで凹部１９の前記先端１３ｂの側の形状は、センター孔１３ａの中心から一般的な光ディスクと同じ径の円弧１９ａで形成されている。
【００２７】
このように構成したため、図６（ａ）に示すように、プローブ１３の先端１３ｂをディスク挿入口３に挿入して、図６（ｂ）に示すように、レバー４の先端に光ディスク２が当接してレバー４が押し込まれて基端の軸５を中心に回動すると、モータ６によって取り込みレバー７が回動して、取り込みレバー７の先端７ａが凹部１９の円弧１９ａの部分に係合し、プローブ１３が光ディスク２をガイドレバー８に向かって押し込まれる。この取り込みレバー７による押し込み動作は、プローブ１３のセンター孔１３ａの中心が回転テーブル９の中心に一致する位置まで行われて、図６（ｃ）の位置に達したプローブ１３がクランパー（図示せず）と回転テーブル９とで挟持されてローティングが完了する。ステップＳ４以降の処理は（実施の形態１）と同じである。
【００２８】
（実施の形態３）
図７は本発明の（実施の形態３）を示す。
（実施の形態１）では光パワーの調整時には、モータ６による取り込みレバー７の駆動をステップＳ１において実行しないように禁止して、プローブ１３を光ディスクドライブ装置１２に受け入れるように構成したが、この（実施の形態３）ではプローブ１３の形状をさらに工夫することによってステップＳ１を不要にしている。
【００２９】
この（実施の形態３）では、（実施の形態２）における凹部１９が形成されていた位置に、これよりも大きな凹部２０が形成されている。具体的には、図７（ａ）に示すように、プローブ１３の先端１３ｂをディスク挿入口３に挿入して、図７（ｂ）を経て図７（ｃ）に示すように、プローブ１３のセンター孔１３ａの中心が回転テーブル９の中心に一致する位置まで手動で押し込まれると、プローブ１３がクランパー（図示せず）と回転テーブル９とで挟持されてローティングが完了する。ステップＳ４以降の処理は（実施の形態１）と同じである。
【００３０】
なお、レバー４の先端に光ディスク２が当接してレバー４が押し込まれて基端の軸５を中心に回動すると、モータ６によって取り込みレバー７が従来と同じように回動するが、凹部２０の内周面２０ａが取り込みレバー７の先端７ａの移動経路よりも外側を移動して、取り込みレバー７はプローブ１３に係合しないので、ステップＳ１を設けなくてもモータ６の焼損を回避できる。ステップＳ４以降の処理は（実施の形態１）と同じである。
【産業上の利用可能性】
【００３１】
光ディスクドライブ装置の高性能化に寄与できる。
【図面の簡単な説明】
【００３２】
【図１】本発明の（実施の形態１）の光パワー調整工程で使用する調整装置の全体図
【図２】同実施の形態で使用するプローブの取り込み工程図
【図３】同実施の形態の取り込みが完了したプローブと光ピックアップの位置関係を示す断面図
【図４】同実施の形態の光パワー調整時の光ディスクドライブ装置のフロー図
【図５】本発明の（実施の形態２）のプローブの斜視図
【図６】同実施の形態で使用するプローブの取り込み工程図
【図７】本発明の（実施の形態３）で使用するプローブの取り込み工程図
【図８】従来の光ディスクドライブ装置の光ディスクのスロットインの工程図
【図９】同従来例の光ディスクドライブ装置の外観斜視図
【図１０】従来の光パワー調整時の斜視図
【符号の説明】
【００３３】
１    トップカバー
２    光ディスク
２ａ    チャッキングホール
３    ディスク挿入口
４    レバー
６    モータ
７    取り込みレバー
９    回転テーブル
１０    光ピックアップ
１２    光ディスクドライブ装置
１３    プローブ
１３ａ    センター孔
１３ｂ    プローブ１３の先端
１３ｃ    プローブ１３の後端
１４    センサ基板
１７    調整用パソコン
１９    凹部
１９ａ    凹部１９の円弧
２０    凹部
２０ａ    凹部２０の内周面
【図１】
2007334941.tif 000003
【図２】
2007334941.tif 000004
【図３】
2007334941.tif 000005
【図４】
2007334941.tif 000006
【図５】
2007334941.tif 000007
【図６】
2007334941.tif 000008
【図７】
2007334941.tif 000009
【図８】
2007334941.tif 000010
【図９】
2007334941.tif 000011
【図１０】
2007334941.tif 000012